(57)【特許請求の範囲】
【請求項１】
アクチュエータとして空気袋を使用するシステムを備えた乗物用シートであって、
前記空気袋へ空気を供給するために作動されるポンプと、
前記ポンプを作動するためにオン・オフ操作されるスイッチと、
前記空気袋の空気の給排気経路に設けられ、前記空気袋に空気を供給するときは、前記給排気経路を前記ポンプの吐出口に接続し、前記空気袋から空気を排出するときは、前記給排気経路を排気口に接続する切換弁とを備え、
前記切換弁は、前記スイッチ内に組み込まれ、前記スイッチのオン・オフ操作力を受けて、前記スイッチのオン・オフ操作に合わせて前記空気袋の給排気を実現するように構成されており、
前記空気袋は一対の空気袋から成り、各空気袋は個別に膨張・収縮可能に構成され、
前記スイッチは、一つの操作ノブにより
前記一対の空気袋を同時に膨張させる第１位置と、
前記一対の空気袋を同時に収縮させる第２位置と、
前記一対の空気袋の一方を膨張させ、他方を収縮させる第３位置と、
前記一対の空気袋の一方を収縮させ、他方を膨張させる第４位置と
に切り換えられるように構成され、
前記第１位置では、操作力を受けた第１操作体の移動に伴い、前記ポンプの作動回路を導通状態とするように、前記スイッチを構成する固定接点に対して可動接点を電気的に接触させ、
前記第２位置では、操作力を受けた第２操作体の移動に伴い、前記一対の空気袋を収縮させるように、前記切換弁を構成する第２弁装置を作動させて、前記一対の空気袋の各給排気経路と前記排気口との間を遮断状態から連通状態とさせ、
前記第３位置では、操作力を受けた第３操作体の移動に伴い、前記ポンプの作動回路を導通状態とするように、前記スイッチを構成する固定接点に対して可動接点を電気的に接触させ、且つ前記他方の空気袋を膨張可能な状態から収縮させる状態とするように、前記切換弁を構成する第３弁装置を作動させて、前記他方の空気袋の給排気経路と前記ポンプの吐出口との間を連通状態から遮断状態とさせ、しかも前記他方の空気袋の給排気経路と前記排気口との間を遮断状態から連通状態とさせ、
前記第４位置では、操作力を受けた第４操作体の移動に伴い、前記ポンプの作動回路を導通状態とするように、前記スイッチを構成する固定接点に対して可動接点を電気的に接触させ、且つ前記一方の空気袋を膨張可能な状態から収縮させる状態とするように、前記切換弁を構成する第４弁装置を作動させて、前記一方の空気袋の給排気経路と前記ポンプの吐出口との間を連通状態から遮断状態とさせ、しかも前記一方の空気袋の給排気経路と前記排気口との間を遮断状態から連通状態とさせる乗物用シート。
【請求項２】
アクチュエータとして空気袋を使用するシステムを備えた乗物用シートであって、
前記空気袋へ空気を供給するために作動されるポンプと、
前記ポンプを作動するためにオン・オフ操作されるスイッチと、
前記空気袋の空気の給排気経路に設けられ、前記空気袋に空気を供給するときは、前記給排気経路を前記ポンプの吐出口に接続し、前記空気袋から空気を排出するときは、前記給排気経路を排気口に接続する切換弁とを備え、
前記切換弁は、前記スイッチ内に組み込まれ、前記スイッチのオン・オフ操作力を受けて、前記スイッチのオン・オフ操作に合わせて前記空気袋の給排気を実現するように構成されており、
前記空気袋は一対の空気袋から成り、各空気袋は個別に膨張・収縮可能に構成され、
前記スイッチは、一つの操作ノブにより
前記一対の空気袋を同時に膨張させる第１位置と、
前記一対の空気袋を同時に収縮させる第２位置と、
前記一対の空気袋の一方を膨張させ、他方を収縮させる第３位置と、
前記一対の空気袋の一方を収縮させ、他方を膨張させる第４位置と
に切り換えられるように構成され、
前記第１位置では、操作力を受けた第１操作体の移動に伴い、前記ポンプの作動回路を導通状態とするように、前記スイッチを構成する固定接点に対して可動接点を電気的に接触させ、且つ前記一対の空気袋を膨張可能な状態とするように、前記切換弁を構成する第１弁装置を作動させて、前記一対の空気袋の各給排気経路と前記ポンプの吐出口との間を遮断状態から連通状態とさせ、
前記第２位置では、操作力を受けた第２操作体の移動に伴い、前記一対の空気袋を収縮させるように、前記切換弁を構成する第２弁装置を作動させて、前記一対の空気袋の各給排気経路と前記排気口との間を遮断状態から連通状態とさせ、
前記第３位置では、操作力を受けた第３操作体の移動に伴い、前記ポンプの作動回路を導通状態とするように、前記スイッチを構成する固定接点に対して可動接点を電気的に接触させ、且つ前記一方の空気袋を収縮させる状態から膨張可能な状態とするように、前記切換弁を構成する第５弁装置を作動させて、前記一方の空気袋の給排気経路と前記ポンプの吐出口との間を遮断状態から連通状態とさせ、しかも前記一方の空気袋の給排気経路と前記排気口との間を連通状態から遮断状態とさせ、
前記第４位置では、操作力を受けた第４操作体の移動に伴い、前記ポンプの作動回路を導通状態とするように、前記スイッチを構成する固定接点に対して可動接点を電気的に接触させ、且つ前記他方の空気袋を収縮させる状態から膨張可能な状態とするように、前記切換弁を構成する第６弁装置を作動させて、前記他方の空気袋の給排気経路と前記ポンプの吐出口との間を遮断状態から連通状態とさせ、しかも前記他方の空気袋の給排気経路と前記排気口との間を連通状態から遮断状態とさせる乗物用シート。
【請求項３】
請求項１において、
前記スイッチは、
前記第１位置に対応して、
第１固定接点と、
操作力を受けて前記第１固定接点に対して相対移動して電気的に接触する第１可動接点とを備え、
前記第２位置に対応して、
操作力を受けて移動するように設けられた第２弁体と、
該第２弁体を移動自在に収容し、前記排気口に連通された第２弁室と、
前記一対の空気袋にそれぞれ連通された第２連通路の端部を構成するように前記第２弁室の内壁面に形成され、前記第２弁体に当接可能に対向配置され、前記第２弁体に当接されていない状態では前記第２連通路を前記第２弁室に開放し、前記第２弁体に当接されている状態では前記第２連通路を前記第２弁室に対して遮断する第２弁座とを備え、
前記第３位置及び第４位置に対応して、
第３及び第４固定接点と、
操作力を受けて前記第３及び第４固定接点に対して相対移動して電気的に接触する第３及び第４可動接点と、
該第３及び第４可動接点と共に移動するように設けられた第３及び第４弁体と、
該第３及び第４弁体を移動自在に収容し、前記他方の空気袋及び前記一方の空気袋に連通された第３及び第４弁室と、
前記排気口に連通された第３１及び第４１連通路の端部を構成するように前記第３及び第４弁室の内壁面に形成され、前記第３及び第４弁体に当接可能に対向配置され、前記第３及び第４弁体に当接されていない状態では前記第３１及び第４１連通路を前記第３及び第４弁室に開放し、前記第３及び第４弁体に当接されている状態では前記第３１及び第４１連通路を前記第３及び第４弁室に対して遮断する第３１及び第４１弁座と、
前記ポンプ吐出口に連通された第３２及び第４２連通路の端部を構成するように前記第３及び第４弁室の内壁面に形成され、前記第３及び第４弁体に当接可能に対向配置され、前記第３及び第４弁体に当接されていない状態では前記第３２及び第４２連通路を前記第３及び第４弁室に開放し、前記第３及び第４弁体に当接されている状態では前記第３２及び第４２連通路を前記第３及び第４弁室に対して遮断する第３２及び第４２弁座とを備え、
前記第３及び第４弁体は、前記第３及び第４可動接点が前記第３及び第４固定接点に電気的に接触していない状態では前記第３１及び第４１弁座に当接して前記第３２及び第４２弁座に当接せず、前記第３及び第４可動接点が前記第３及び第４固定接点に電気的に接触している状態では前記第３２及び第４２弁座に当接して前記第３１及び第４１弁座に当接しない乗物用シート。
【請求項４】
請求項２において、
前記スイッチは、
前記第１位置に対応して、
第１固定接点と、
操作力を受けて前記第１固定接点に対して相対移動して電気的に接触する第１可動接点と、
該第１可動接点と共に移動するように設けられた第５弁体と、
該第５弁体を移動自在に収容し、前記ポンプ吐出口に連通された第５弁室と、
前記一対の空気袋に連通された第５連通路の端部を構成するように前記第５弁室の内壁面に形成され、前記第５弁体に当接可能に対向配置され、前記第５弁体に当接されていない状態では前記第５連通路を前記第５弁室に開放し、前記第５弁体に当接されている状態では前記第５連通路を前記第５弁室に対して遮断する第５弁座とを備え、
前記第２位置に対応して、
操作力を受けて移動するように設けられた第２弁体と、
該第２弁体を移動自在に収容し、前記排気口に連通された第２弁室と、
前記一対の空気袋にそれぞれ連通された第２連通路の端部を構成するように前記第２弁室の内壁面に形成され、前記第２弁体に当接可能に対向配置され、前記第２弁体に当接されていない状態では前記第２連通路を前記第２弁室に開放し、前記第２弁体に当接されている状態では前記第２連通路を前記第２弁室に対して遮断する第２弁座とを備え、
前記第３位置及び第４位置に対応して、
第３及び第４固定接点と、
操作力を受けて前記第３及び第４固定接点に対して相対移動して電気的に接触する第３及び第４可動接点と、
該第３及び第４可動接点と共に移動するように設けられた第６及び第７弁体と、
該第６及び第７弁体を移動自在に収容し、前記一方の空気袋及び前記他方の空気袋に連通された第６及び第７弁室と、
前記ポンプ吐出口に連通された第３３及び第４３連通路の端部を構成するように前記第６及び第７弁室の内壁面に形成され、前記第６及び第７弁体に当接可能に対向配置され、前記第６及び第７弁体に当接されていない状態では前記第３３及び第４３連通路を前記第６及び第７弁室に開放し、前記第６及び第７弁体に当接されている状態では前記第３３及び第４３連通路を前記第６及び第７弁室に対して遮断する第３３及び第４３弁座と、
前記排気口に連通された第３４及び第４４連通路の端部を構成するように前記第６及び第７弁室の内壁面に形成され、前記第６及び第７弁体に当接可能に対向配置され、前記第６及び第７弁体に当接されていない状態では前記第３４及び第４４連通路を前記第６及び第７弁室に開放し、前記第６及び第７弁体に当接されている状態では前記第３４及び第４４連通路を前記第６及び第７弁室に対して遮断する第３４及び第４４弁座とを備え、
前記第６及び第７弁体は、前記第３及び第４可動接点が前記第３及び第４固定接点に電気的に接触していない状態では前記第３３及び第４３弁座に当接して前記第３４及び第４４弁座に当接せず、前記第３及び第４可動接点が前記第３及び第４固定接点に電気的に接触している状態では前記第３４及び第４４弁座に当接して前記第３３及び第４３弁座に当接しない乗物用シート。
【発明の詳細な説明】
【技術分野】
【０００１】
本発明は、ランバーサポートのような機能部品を備えた、自動車、飛行機、船、電車等の乗物に搭載されるシートに関する。
【背景技術】
【０００２】
ランバーサポート、マッサージ装置、サイドサポート等のアクチュエータとして空気袋を使用するシステムの場合、空気袋へ空気を給排気するため、空気ポンプと給排気経路切り換えのための電磁弁とを用いるのが一般的である。下記特許文献１には、空気ポンプ及び電磁弁を備えたマッサージ装置の例が示されている。
【先行技術文献】
【特許文献】
【０００３】
【特許文献１】特開２０００−２７９４６７号公報
【発明の概要】
【発明が解決しようとする課題】
【０００４】
しかし、近年、乗物用シートには各種の機能が付加されて、シート周辺のスペースが不足する傾向にある。そのため、上述のような各種システムを乗物用シートに付加することは、場合によっては難しい。
【０００５】
このような問題に鑑み本発明の課題は、アクチュエータとして空気袋を使用するシステムにおいて、空気袋への給排気を制御するためのスイッチに切換弁の機能を一体化することによりシステムの構成を簡素化することにある。
【課題を解決するための手段】
【０００６】
第１発明は、アクチュエータとして空気袋を使用するシステムを備えた乗物用シートであって、
前記空気袋へ空気を供給するために作動されるポンプと、
前記ポンプを作動するためにオン・オフ操作されるスイッチと、
前記空気袋の空気の給排気経路に設けられ、前記空気袋に空気を供給するときは、前記給排気経路を前記ポンプの吐出口に接続し、前記空気袋から空気を排出するときは、前記給排気経路を排気口に接続する切換弁とを備え、
前記切換弁は、前記スイッチ内に組み込まれ、前記スイッチのオン・オフ操作力を受けて、前記スイッチのオン・オフ操作に合わせて前記空気袋の給排気を実現するように構成されており、
前記空気袋は一対の空気袋から成り、各空気袋は個別に膨張・収縮可能に構成され、
前記スイッチは、一つの操作ノブにより
前記一対の空気袋を同時に膨張させる第１位置と、
前記一対の空気袋を同時に収縮させる第２位置と、
前記一対の空気袋の一方を膨張させ、他方を収縮させる第３位置と、
前記一対の空気袋の一方を収縮させ、他方を膨張させる第４位置と
に切り換えられるように構成され、
前記第１位置では、操作力を受けた第１操作体の移動に伴い、前記ポンプの作動回路を導通状態とするように、前記スイッチを構成する固定接点に対して可動接点を電気的に接触させ、
前記第２位置では、操作力を受けた第２操作体の移動に伴い、前記一対の空気袋を収縮させるように、前記切換弁を構成する第２弁装置を作動させて、前記一対の空気袋の各給排気経路と前記排気口との間を遮断状態から連通状態とさせ、
前記第３位置では、操作力を受けた第３操作体の移動に伴い、前記ポンプの作動回路を導通状態とするように、前記スイッチを構成する固定接点に対して可動接点を電気的に接触させ、且つ前記他方の空気袋を膨張可能な状態から収縮させる状態とするように、前記切換弁を構成する第３弁装置を作動させて、前記他方の空気袋の給排気経路と前記ポンプの吐出口との間を連通状態から遮断状態とさせ、しかも前記他方の空気袋の給排気経路と前記排気口との間を遮断状態から連通状態とさせ、
前記第４位置では、操作力を受けた第４操作体の移動に伴い、前記ポンプの作動回路を導通状態とするように、前記スイッチを構成する固定接点に対して可動接点を電気的に接触させ、且つ前記一方の空気袋を膨張可能な状態から収縮させる状態とするように、前記切換弁を構成する第４弁装置を作動させて、前記一方の空気袋の給排気経路と前記ポンプの吐出口との間を連通状態から遮断状態とさせ、しかも前記一方の空気袋の給排気経路と前記排気口との間を遮断状態から連通状態とさせる。
【０００７】
第２発明は、アクチュエータとして空気袋を使用するシステムを備えた乗物用シートであって、
前記空気袋へ空気を供給するために作動されるポンプと、
前記ポンプを作動するためにオン・オフ操作されるスイッチと、
前記空気袋の空気の給排気経路に設けられ、前記空気袋に空気を供給するときは、前記給排気経路を前記ポンプの吐出口に接続し、前記空気袋から空気を排出するときは、前記給排気経路を排気口に接続する切換弁とを備え、
前記切換弁は、前記スイッチ内に組み込まれ、前記スイッチのオン・オフ操作力を受けて、前記スイッチのオン・オフ操作に合わせて前記空気袋の給排気を実現するように構成されており、
前記空気袋は一対の空気袋から成り、各空気袋は個別に膨張・収縮可能に構成され、
前記スイッチは、一つの操作ノブにより
前記一対の空気袋を同時に膨張させる第１位置と、
前記一対の空気袋を同時に収縮させる第２位置と、
前記一対の空気袋の一方を膨張させ、他方を収縮させる第３位置と、
前記一対の空気袋の一方を収縮させ、他方を膨張させる第４位置と
に切り換えられるように構成され、
前記第１位置では、操作力を受けた第１操作体の移動に伴い、前記ポンプの作動回路を導通状態とするように、前記スイッチを構成する固定接点に対して可動接点を電気的に接触させ、且つ前記一対の空気袋を膨張可能な状態とするように、前記切換弁を構成する第１弁装置を作動させて、前記一対の空気袋の各給排気経路と前記ポンプの吐出口との間を遮断状態から連通状態とさせ、
前記第２位置では、操作力を受けた第２操作体の移動に伴い、前記一対の空気袋を収縮させるように、前記切換弁を構成する第２弁装置を作動させて、前記一対の空気袋の各給排気経路と前記排気口との間を遮断状態から連通状態とさせ、
前記第３位置では、操作力を受けた第３操作体の移動に伴い、前記ポンプの作動回路を導通状態とするように、前記スイッチを構成する固定接点に対して可動接点を電気的に接触させ、且つ前記一方の空気袋を収縮させる状態から膨張可能な状態とするように、前記切換弁を構成する第５弁装置を作動させて、前記一方の空気袋の給排気経路と前記ポンプの吐出口との間を遮断状態から連通状態とさせ、しかも前記一方の空気袋の給排気経路と前記排気口との間を連通状態から遮断状態とさせ、
前記第４位置では、操作力を受けた第４操作体の移動に伴い、前記ポンプの作動回路を導通状態とするように、前記スイッチを構成する固定接点に対して可動接点を電気的に接触させ、且つ前記他方の空気袋を収縮させる状態から膨張可能な状態とするように、前記切換弁を構成する第６弁装置を作動させて、前記他方の空気袋の給排気経路と前記ポンプの吐出口との間を遮断状態から連通状態とさせ、しかも前記他方の空気袋の給排気経路と前記排気口との間を連通状態から遮断状態とさせる。
【０００８】
第３発明は、上記第１発明において、
前記スイッチは、
前記第１位置に対応して、
第１固定接点と、
操作力を受けて前記第１固定接点に対して相対移動して電気的に接触する第１可動接点とを備え、
前記第２位置に対応して、
操作力を受けて移動するように設けられた第２弁体と、
該第２弁体を移動自在に収容し、前記排気口に連通された第２弁室と、
前記一対の空気袋にそれぞれ連通された第２連通路の端部を構成するように前記第２弁室の内壁面に形成され、前記第２弁体に当接可能に対向配置され、前記第２弁体に当接されていない状態では前記第２連通路を前記第２弁室に開放し、前記第２弁体に当接されている状態では前記第２連通路を前記第２弁室に対して遮断する第２弁座とを備え、
前記第３位置及び第４位置に対応して、
第３及び第４固定接点と、
操作力を受けて前記第３及び第４固定接点に対して相対移動して電気的に接触する第３及び第４可動接点と、
該第３及び第４可動接点と共に移動するように設けられた第３及び第４弁体と、
該第３及び第４弁体を移動自在に収容し、前記他方の空気袋及び前記一方の空気袋に連通された第３及び第４弁室と、
前記排気口に連通された第３１及び第４１連通路の端部を構成するように前記第３及び第４弁室の内壁面に形成され、前記第３及び第４弁体に当接可能に対向配置され、前記第３及び第４弁体に当接されていない状態では前記第３１及び第４１連通路を前記第３及び第４弁室に開放し、前記第３及び第４弁体に当接されている状態では前記第３１及び第４１連通路を前記第３及び第４弁室に対して遮断する第３１及び第４１弁座と、
前記ポンプ吐出口に連通された第３２及び第４２連通路の端部を構成するように前記第３及び第４弁室の内壁面に形成され、前記第３及び第４弁体に当接可能に対向配置され、前記第３及び第４弁体に当接されていない状態では前記第３２及び第４２連通路を前記第３及び第４弁室に開放し、前記第３及び第４弁体に当接されている状態では前記第３２及び第４２連通路を前記第３及び第４弁室に対して遮断する第３２及び第４２弁座とを備え、
前記第３及び第４弁体は、前記第３及び第４可動接点が前記第３及び第４固定接点に電気的に接触していない状態では前記第３１及び第４１弁座に当接して前記第３２及び第４２弁座に当接せず、前記第３及び第４可動接点が前記第３及び第４固定接点に電気的に接触している状態では前記第３２及び第４２弁座に当接して前記第３１及び第４１弁座に当接しない。
【０００９】
第４発明は、上記第２発明において、
前記スイッチは、
前記第１位置に対応して、
第１固定接点と、
操作力を受けて前記第１固定接点に対して相対移動して電気的に接触する第１可動接点と、
該第１可動接点と共に移動するように設けられた第５弁体と、
該第５弁体を移動自在に収容し、前記ポンプ吐出口に連通された第５弁室と、
前記一対の空気袋に連通された第５連通路の端部を構成するように前記第５弁室の内壁面に形成され、前記第５弁体に当接可能に対向配置され、前記第５弁体に当接されていない状態では前記第５連通路を前記第５弁室に開放し、前記第５弁体に当接されている状態では前記第５連通路を前記第５弁室に対して遮断する第５弁座とを備え、
前記第２位置に対応して、
操作力を受けて移動するように設けられた第２弁体と、
該第２弁体を移動自在に収容し、前記排気口に連通された第２弁室と、
前記一対の空気袋にそれぞれ連通された第２連通路の端部を構成するように前記第２弁室の内壁面に形成され、前記第２弁体に当接可能に対向配置され、前記第２弁体に当接されていない状態では前記第２連通路を前記第２弁室に開放し、前記第２弁体に当接されている状態では前記第２連通路を前記第２弁室に対して遮断する第２弁座とを備え、
前記第３位置及び第４位置に対応して、
第３及び第４固定接点と、
操作力を受けて前記第３及び第４固定接点に対して相対移動して電気的に接触する第３及び第４可動接点と、
該第３及び第４可動接点と共に移動するように設けられた第６及び第７弁体と、
該第６及び第７弁体を移動自在に収容し、前記一方の空気袋及び前記他方の空気袋に連通された第６及び第７弁室と、
前記ポンプ吐出口に連通された第３３及び第４３連通路の端部を構成するように前記第６及び第７弁室の内壁面に形成され、前記第６及び第７弁体に当接可能に対向配置され、前記第６及び第７弁体に当接されていない状態では前記第３３及び第４３連通路を前記第６及び第７弁室に開放し、前記第６及び第７弁体に当接されている状態では前記第３３及び第４３連通路を前記第６及び第７弁室に対して遮断する第３３及び第４３弁座と、
前記排気口に連通された第３４及び第４４連通路の端部を構成するように前記第６及び第７弁室の内壁面に形成され、前記第６及び第７弁体に当接可能に対向配置され、前記第６及び第７弁体に当接されていない状態では前記第３４及び第４４連通路を前記第６及び第７弁室に開放し、前記第６及び第７弁体に当接されている状態では前記第３４及び第４４連通路を前記第６及び第７弁室に対して遮断する第３４及び第４４弁座とを備え、
前記第６及び第７弁体は、前記第３及び第４可動接点が前記第３及び第４固定接点に電気的に接触していない状態では前記第３３及び第４３弁座に当接して前記第３４及び第４４弁座に当接せず、前記第３及び第４可動接点が前記第３及び第４固定接点に電気的に接触している状態では前記第３４及び第４４弁座に当接して前記第３３及び第４３弁座に当接しない。
【発明の効果】
【００１２】
本発明によれば、空気袋への給排気を制御するためのスイッチに切換弁の機能が一体化されている。そのため、ポンプ制御のためのスイッチの操作力によって空気袋への空気の給排気制御を行う弁体をも移動することができる。従って、給排気制御のための電磁弁を不要とし、システム構成を簡素化することができる。
【００１３】
また、電磁弁を使用する場合は、その収納スペースの観点、並びに消費電力の観点から小容量化が求められる。その結果、弁体の駆動力が制約され、弁体の固着の問題が起きやすい。本発明では、操作力は必要に応じて操作者が加減できるため、弁体の固着の発生を抑制することができる。
【図面の簡単な説明】
【００１４】
【図１】本発明の第１実施形態の斜視図である。
【図２】第１実施形態におけるランバーサポートの動作説明図である。
【図３】第１実施形態におけるランバーサポートの操作ノブの外観説明図である。
【図４】第１実施形態におけるランバーサポートの操作ボックスの内部構成説明図である。
【図５】第１実施形態におけるランバーサポートの操作ボックスの内部構成説明図であり、空気配管説明図である。
【図６】第１実施形態におけるランバーサポートの操作ボックスの内部構成説明図であり、電気配線説明図である。
【図７】第１実施形態におけるランバーサポートのシステム構成図である。
【図８】本発明の第２実施形態におけるランバーサポートのシステム構成図である。
【図９】本発明の第３実施形態におけるランバーサポートのシステム構成図である。
【図１０】第１実施形態におけるホールドモード用スイッチボックスの縦断面図である。
【図１１】第１実施形態におけるリリースモード用スイッチボックスの縦断面図である。
【図１２】第１実施形態におけるアップモード用及びダウンモード用スイッチボックスの縦断面図である。
【図１３】第２実施形態におけるホールドモード用スイッチボックスの縦断面図である。
【図１４】第２実施形態におけるアップモード用及びダウンモード用スイッチボックスの縦断面図である。
【図１５】第３実施形態におけるリリースモード用スイッチボックスの縦断面図である。
【図１６】第４実施形態におけるホールドモード用スイッチボックスの縦断面図である。
【図１７】第４実施形態におけるリリースモード用スイッチボックスの縦断面図である。
【図１８】第４実施形態におけるアップモード用及びダウンモード用スイッチボックスの縦断面図である。
【図１９】第５実施形態におけるホールドモード用スイッチボックスの縦断面図である。
【図２０】第５実施形態におけるアップモード用及びダウンモード用スイッチボックスの縦断面図である。
【図２１】第６実施形態におけるリリースモード用スイッチボックスの縦断面図である。
【図２２】第４実施形態におけるスイッチボックスの可動接点の平面図である。
【図２３】図２２の可動接点の正面図である。
【図２４】図２２の可動接点の変形例の平面図である。
【図２５】図２４の可動接点の正面図である。
【発明を実施するための形態】
【００１５】
図１は本発明の第１実施形態を示す。この実施形態は、自動車用シート（以下、単にシートという）１に空気袋（以下、ブラダという）を用いたランバーサポートを適用した例を示す。シート１は、座部を成すシートクッション３と背凭れを成すシートバック２とを備えており、ランバーサポートは、シートバック２内部において、着座乗員の腰部に対応する位置に設けられている。ランバーサポートは、図示を省略したが、シートバック２内のバックフレームに２個のアッパブラダ１８及びロアブラダ１９（本発明の第３、第４発明における一方の空気袋及び他方の空気袋に相当）が上下に並べて固定されている。
【００１６】
図２は、第１実施形態におけるランバーサポートの動作説明図であり、操作スイッチの操作ノブ１５は、図２において黒で塗りつぶした上下左右の４方向に傾斜操作することにより、シートバック２内のアッパブラダ１８及びロアブラダ１９を４つのモードに動作させるように構成されている。ホールドモードでは、アッパブラダ１８及びロアブラダ１９の両方に空気が供給されて、それらが共に膨張されて着座乗員の腰部が広範囲に支持される。リリースモードでは、アッパブラダ１８及びロアブラダ１９の両方の空気が排出されて、それらが共に収縮されて着座乗員の腰部の支持が行われなくなる。アップモードでは、アッパブラダ１８に空気が供給されるが、ロアブラダ１９は空気が排出されて、アッパブラダ１８のみが膨張して着座乗員の腰部の比較的高い領域のみが支持される。ダウンモードでは、ロアブラダ１９に空気が供給されるが、アッパブラダ１８は空気が排出されて、ロアブラダ１９のみが膨張して着座乗員の腰部の比較的低い領域のみが支持される。
【００１７】
図３は、操作ノブ１５の外観を示す。上記４つのモードを実現するために操作ノブ１５は、操作ボックス１０（図４参照）に対して４方向に傾斜操作可能に構成されている。即ち、ホールドモードとリリースモードは互いに反対方向に傾斜するようにされ、操作部１５ａが押圧操作されるとホールドモードとされ、操作部１５ｂが押圧操作されるとリリースモードとされる。また、アップモードとダウンモードは互いに反対方向に傾斜するようにされ、操作部１５ｃが押圧操作されるとアップモードとされ、操作部１５ｄが押圧操作されるとダウンモードとされる。操作ノブ１５のホールドモードを実現する位置が本発明の第３、第４発明における第１位置に相当し、リリースモードを実現する位置が本発明の第３、第４発明における第２位置に相当し、アップモードを実現する位置が本発明の第３、第４発明における第３位置に相当し、ダウンモードを実現する位置が本発明の第３、第４発明における第４位置に相当する。
【００１８】
図４は、操作ノブ１５を含む操作ボックス１０を示す。操作ボックス１０は、空気コネクタ１０ａ〜１０ｃを介してポンプ１７、アッパブラダ１８及びロアブラダ１９に接続されると共に、電気コネクタ１０ｄを介して電源及びポンプ１７駆動用のモータ１６に接続されている。操作ボックス１０の上表面には、シート１への着座乗員が操作可能に上述の操作ノブ１５が設けられ、操作ノブ１５の各モードに対応する操作部１５ａ〜１５ｄが押圧操作されると、対応するプッシャ（本発明の第３発明における第１〜第４操作体に対応）１１〜１４が押圧され、後述のようにモータ１６の作動及びアッパブラダ１８及びロアブラダ１９の給排気が制御される。
【００１９】
図５は、操作ボックス１０内の空気配管を示す。操作ノブ１５の各モードに対応してスイッチボックス（本発明の各発明におけるスイッチに相当）１１０、２１０、３１０、４１０が設けられ、各スイッチボックス１１０、２１０、３１０、４１０は、操作ノブ１５の操作によりプッシャ１１〜１４が押圧されるのに応じて作動される。スイッチボックス１１０には、空気配管は接続されておらず、スイッチボックス２１０には、空気コネクタ１０ｂ、１０ｃを介してアッパブラダ１８及びロアブラダ１９が接続され、スイッチボックス３１０、４１０には、ポンプ１７並びにアッパブラダ１８及びロアブラダ１９が接続されている。
【００２０】
図６は、操作ボックス１０内の電気配線を示す。各スイッチボックス１１０、３１０、４１０内には、スイッチ素子を構成する固定接点１１１ｂ、１１１ｃ、１３１ｂ、１３１ｃ、１４１ｂ、１４１ｃが設けられ、各固定接点１１１ｂ、１３１ｂ、１４１ｂは、電気コネクタ１０ｄを介して電源＋Ｂに接続され、各固定接点１１１ｃ、１３１ｃ、１４１ｃは、電気コネクタ１０ｄを介してモータ１６の正極端子に接続されている。従って、各スイッチボックス１１０、３１０、４１０内で、互いに対応する固定接点１１１ｂ、１１１ｃ、１３１ｂ、１３１ｃ、１４１ｂ、１４１ｃ同士が、後述する各可動接点１１１ａ、１３１ａ、１４１ａ（図７参照）によって電気的に導通されると、モータ１６を作動させるようにされている。なお、スイッチボックス２１０内には他のスイッチボックス１１０、３１０、４１０のようなスイッチ素子は設けられていない。
【００２１】
図７は、ランバーサポートのシステム構成を示す。ポンプ１７はモータ１６によって駆動されるように結合され、ポンプ１７の吐出口は、空気コネクタ１０ａを介して操作ボックス１０内の逆止弁２８、２９に接続されている。逆止弁２８、２９は互いに並列にされて空気コネクタ１０ａに接続され、逆止弁２８は、スイッチボックス３１０の切換弁３１８を経由して空気コネクタ１０ｃに接続され、更にロアブラダ１９に接続されている。逆止弁２８は、ポンプ１７からロアブラダ１９へ向かう空気の流れは許容するが、反対方向の空気の流れは阻止するように構成されている。スイッチボックス３１０の切換弁３１８の排気ポートは排気口２５に接続されている。
【００２２】
また、逆止弁２９は、スイッチボックス４１０の切換弁４１８を経由して空気コネクタ１０ｂに接続され、更にアッパブラダ１８に接続されている。逆止弁２９は、ポンプ１７からアッパブラダ１８へ向かう空気の流れは許容するが、反対方向の空気の流れは阻止するように構成されている。スイッチボックス４１０の切換弁４１８の排気ポートは排気口２６に接続されている。アッパブラダ１８及びロアブラダ１９は、それぞれスイッチボックス２１０の切換弁を経由して排気口２４に接続されている。各スイッチボックス２１０、３１０、４１０の各切換弁２１０、３１８、４１８は、本発明の第１、第２発明における第２〜第４弁装置に相当する。
【００２３】
モータ１６は、その負極端子が接地され、正極端子が電気コネクタ１０ｄを介して各スイッチボックス１１０、３１０、４１０内の各スイッチ素子１１１、３１１、４１１の固定接点１１１ｃ、１３１ｃ、１４１ｃに接続され、各スイッチ素子１１１、３１１、４１１の固定接点１１１ｂ、１３１ｂ、１４１ｂは、電気コネクタ１０ｄを介して電源＋Ｂに接続されている。従って、各スイッチ素子１１１、３１１、４１１は、互いに並列接続されている。
【００２４】
図１０〜１２は、操作ボックス１０内に一体に構成されたスイッチボックス１１０、２１０、３１０、４１０の構成を示す。各スイッチボックス１１０、２１０、３１０、４１０は概ね共通の構成から成り、各スイッチボックス１１０、２１０、３１０、４１０内の上側に切換弁２１０、３１８、４１８、下側にスイッチ素子１１１、３１１、４１１が設けられている。ここでは、図１０〜１２の図示の上下方向を、便宜的に上下として説明している。また、各スイッチボックス１１０、２１０、３１０、４１０において、各プッシャ１１、１２、１３、１４が押圧操作された状態と押圧操作されない状態とを同時に記載している。
【００２５】
スイッチボックス３１０の切換弁３１８は、図１２に示すように、プッシャ１３に弁体３１２が結合され、弁体３１２に対向して上側に弁座３１４、下側に弁座３１５が設けられている。各弁座３１４、３１５は、弁体３１２を収容する弁室３１３の壁面に一体に形成されている。弁体３１２は、常時、弁座３１４に当接するようにばね付勢され、プッシャ１３がばね力に抗して押圧されて下方に移動すると、弁体３１２は、弁座３１４から離れ、弁座３１５に当接する。弁室３１３はロアブラダ１９に連通され、弁座３１４の上側に繋がる空間（本発明の第３１連通路に相当）３１６は排気口２５に連通され、更に、弁座３１５の下側に繋がる空間（本発明の第３２連通路に相当）３１７はポンプ１７の吐出口に連通されている（図７参照）。そのため、スイッチボックス３１０の切換弁３１８は、常時は、ロアブラダ１９にポンプ１７の吐出口を連通させ、プッシャ１３が押圧操作されると、ロアブラダ１９に排気口２５を連通させるように切り換えられる。以上の構成は、スイッチボックス４１０でも共通であり、スイッチボックス４１０における各構成要素の符号に、図１２ではカッコを付して示している。そのため、スイッチボックス４１０の切換弁４１８は、常時は、アッパブラダ１８にポンプ１７の吐出口を連通させ、プッシャ１４が押圧操作されると、アッパブラダ１８に排気口２６を連通させるように切り換えられる。なお、第３１連通路３１６に対応して第４１連通路４１６があり、第３２連通路３１７に対応して第４２連通路４１７がある。
【００２６】
スイッチボックス３１０のスイッチ素子３１１は、固定接点３１１ｂ、３１１ｃと固定接点３１１ｃに接続された可動接点３１１ａとから成り、可動接点３１１ａはプッシャ１３の下端によって移動されるように設けられている。そのため、常時は、可動接点３１１ａは固定接点３１１ｂから離れており、プッシャ１３が押圧操作されたとき、可動接点３１１ａはプッシャ１３の下端により押圧されて固定接点３１１ｂに当接し、電気的に接触して両固定接点３１１ｂ、３１１ｃ間を導通させる。可動接点３１１ａが固定接点３１１ｂから離れている状態では、スイッチ素子３１１はオフ状態とされ、可動接点３１１ａが固定接点３１１ｂに電気的に接触した状態では、スイッチ素子３１１はオン状態とされる。以上の構成は、スイッチボックス４１０でも共通であり、スイッチボックス４１０における各構成要素の符号に、図１２ではカッコを付して示している。従って、プッシャ１４が押圧される前の状態では、可動接点４１１ａが固定接点４１１ｂから離れていて、スイッチ素子４１１はオフ状態とされ、プッシャ１４が押圧されて、可動接点４１１ａが固定接点４１１ｂに電気的に接触した状態では、スイッチ素子４１１はオン状態とされる。スイッチボックス３１０、４１０において、弁体３１２、４１２は本発明の第３弁体、第４弁体に相当し、弁室３１３、４１３は本発明の第３弁室、第４弁室に相当し、弁座３１４、４１４は本発明の第３１弁座、第４１弁座に相当し、弁座３１５、４１５は本発明の第３２弁座、第４２弁座に相当し、可動接点３１１ａ、４１１ａは本発明の第３可動接点、第４可動接点に相当し、固定接点３１１ｂ、４１１ｂは本発明の第３固定接点、第４固定接点に相当する。
【００２７】
図１０のスイッチボックス１１０は、その下側にスイッチ素子１１１を備えるが、上側には切換弁を備えていない。但し、プッシャ１１の押圧操作感を、上述のスイッチボックス３１０のプッシャ１３と一致させるため、スイッチボックス３１０と同様のばねやシール材をプッシャ１１の軸周りに設けている。スイッチ素子１１１の具体的構成は、スイッチボックス３１０のスイッチ素子３１１と同一であり、対応する部品には符号３１１を１１１に変えて示している。スイッチボックス１１０において、可動接点１１１ａは本発明の第１可動接点に相当し、固定接点１１１ｂは本発明の第１固定接点に相当する。
【００２８】
図１１のスイッチボックス２１０は、その上側には切換弁を備えるが、下側にスイッチ素子を備えていない。但し、スイッチボックス３１０の切換弁３１８では、弁体３１２の上側と下側にそれぞれ弁座３１４、３１５を備えていたが、スイッチボックス２１０では、弁体２１１の上側に弁座２１３を備えるが、下側には弁座を備えない。しかも、弁座２１３の上側には二つの独立した空間２１４が形成され、一方の空間２１４はアッパブラダ１８に連通され、他方の空間２１４はロアブラダ１９に連通されている。また、弁体２１１を収容する弁室２１２は、排気口２４に連通されている（図７参照）。そのため、プッシャ１２が押圧操作される前は、弁体２１１がばねの付勢により弁座２１３に当接していて、アッパブラダ１８及びロアブラダ１９は排気口２４から遮断されているが、プッシャ１２が押圧操作されると、弁体２１１がばねの付勢に抗して弁座２１３から離間して、アッパブラダ１８及びロアブラダ１９を排気口２４に連通させる。スイッチボックス２１０において、弁体２１１は本発明の第２弁体に相当し、弁室２１２は本発明の第２弁室に相当し、弁座２１３は本発明の第２弁座に相当し、空間２１４は本発明の第２連通路に相当する。
【００２９】
第１実施形態によれば、操作ボックス１０の操作ノブ１５を、図２に示すように、各方向に操作することにより各モードを実現するようにアッパブラダ１８及びロアブラダ１９の給排気が行われる。以下、各モード毎に説明する。
【００３０】
<ホールドモード>
スイッチボックス１１０のプッシャ１１が押圧されると、スイッチ素子１１１がオンとされ、モータ１６が作動される。そのため、ポンプ１７の吐出口から空気が供給され、その空気は、逆止弁２８、２９を介して、また、スイッチボックス３１０、４１０の切換弁３１８、４１８を経由してロアブラダ１９及びアッパブラダ１８に供給されて、それらを膨張させる（図７、１０参照）。
【００３１】
<リリースモード>
スイッチボックス２１０のプッシャ１２が押圧されると、ロアブラダ１９及びアッパブラダ１８が排気口２４に連通され、ロアブラダ１９及びアッパブラダ１８は共に収縮される（図７、１１参照）。
【００３２】
<アップモード>
スイッチボックス３１０のプッシャ１３が押圧されると、スイッチ素子３１１がオンとされ、モータ１６が作動される。そのため、ポンプ１７の吐出口から空気が供給され、その空気は、逆止弁２９を介して、また、スイッチボックス４１０の切換弁４１８を経由してアッパブラダ１８に供給されて、アッパブラダ１８を膨張させる。このとき、スイッチボックス３１０の切換弁３１８では、ロアブラダ１９をポンプ１７の吐出口に連通する経路は遮断し、排気口２５に連通する。そのため、ロアブラダ１９は収縮される（図７、１２参照）。
【００３３】
<ダウンモード>
スイッチボックス４１０のプッシャ１４が押圧されると、スイッチ素子４１１がオンとされ、モータ１６が作動される。そのため、ポンプ１７の吐出口から空気が供給され、その空気は、逆止弁２８を介して、また、スイッチボックス３１０の切換弁３１８を経由してロアブラダ１９に供給されて、ロアブラダ１９を膨張させる。このとき、スイッチボックス４１０の切換弁４１８では、アッパブラダ１８をポンプ１７の吐出口に連通する経路は遮断し、排気口２６に連通する。そのため、アッパブラダ１８は収縮される（図７、１２参照）。
【００３４】
第１実施形態によれば、アッパブラダ１８及びロアブラダ１９への給排気を制御するためのスイッチボックス１１０、２１０、３１０、４１０にスイッチ素子１１１、３１１、４１１と共に、切換弁２１０、３１８、４１８の機能が一体化されている。そのため、スイッチボックス１１０、２１０、３１０、４１０の操作力によってスイッチ素子１１１、３１１、４１１のオン・オフ操作と共に、アッパブラダ１８及びロアブラダ１９への空気の給排気制御を行う弁体をも移動することができる。従って、給排気制御のための電磁弁を不要とし、システム構成を簡素化することができる。また、電磁弁を使用する場合は、その収納スペースの観点、並びに消費電力の観点から小容量化が求められる。その結果、弁体の駆動力が制約され、弁体の固着の問題が起きやすい。第１実施形態では、スイッチボックス１１０、２１０、３１０、４１０への操作力は必要に応じて操作者が加減できるため、弁体の固着の発生を抑制することができる。
【００３５】
図８は、本発明の第２実施形態を示す。第２実施形態は上述の第１実施形態に対し、スイッチボックス１１０、３１０、４１０の切換弁３１８、４１８の構成を変更して、スイッチボックス１２０、３２０、４２０とした点を特徴とする。具体的には、スイッチボックス１１０には切換弁は備えなかったが、スイッチボックス１２０には切換弁１２５（本発明の第２発明における第１弁装置に相当）を備える。また、スイッチボックス３２０、４２０では、その切換弁３２７、４２７（本発明の第２発明における第５弁装置、第６弁装置に相当）の切換モードをスイッチボックス３１０、４１０の切換弁３１８、４１８の切換モードとは反対にしている。
【００３６】
図１３は、スイッチボックス１２０の構成を示す。図１３は、第１実施形態におけるスイッチボックス１１０を示す図１０と対応させて示している。両者を比較すると明らかなように、図１３のスイッチボックス１２０では、スイッチ素子１１１はスイッチボックス１１０の場合と同一である。一方、スイッチボックス１１０は切換弁を備えないのに対し、スイッチボックス１２０では、切換弁１２５を備え、プッシャ１１に弁体１２１が結合され、弁体１２１の上側に弁座１２３が対向して設けられている。弁座１２３の上側に繋がる空間１２４は、逆止弁３０、３１を介してアッパブラダ１８及びロアブラダ１９に連通され（図８参照）、弁体１２１を収容する弁室１２２は、ポンプ１７の吐出口に連通されている。そのため、スイッチボックス１２０はプッシャ１１が押圧されたとき、スイッチ素子１１１がオンされると同時に、アッパブラダ１８及びロアブラダ１９がポンプ１７の吐出口に対して連通される。スイッチボックス１２０において、弁体１２１は本発明の第５弁体に相当し、弁室１２２は本発明の第５弁室に相当し、弁座１２３は本発明の第５弁座に相当し、空間１２４は本発明の第５連通路に相当し、可動接点１１１ａは本発明の第１可動接点に相当し、固定接点１１１ｂは本発明の第１固定接点に相当する。
【００３７】
図１４は、第２実施形態におけるスイッチボックス３２０及びスイッチボックス４２０の構成を示す。両スイッチボックス３２０、４２０の構成は互いに同一であるため、図１４においてはスイッチボックス３２０の構成要素の符号を基本とし、スイッチボックス４２０の構成要素の符号をカッコ付きで示している。図１４は、第１実施形態におけるスイッチボックス３１０、４１０を示す図１２と対応させて示している。両者を比較すると明らかなように、図１４のスイッチボックス３２０、４２０では、切換弁３２７、４２７及びスイッチ素子３１１、４１１の構成は、共にスイッチボックス３１０、４１０と同一であり、スイッチボックス３２０、４２０の各弁座３２３（４２３）、３２４（４２４）に繋がる空間３２５（４２５）、３２６（４２６）に連通される相手が、スイッチボックス３１０、４１０における各弁座３１４（４１４）、３１５（４１５）に繋がる空間３１６（４１６）、３１７（４１７）に連通される相手とは相互に入れ換えられている。スイッチボックス３２０、４２０において、弁体３２１、４２１は本発明の第６弁体、第７弁体に相当し、弁室３２２、４２２は本発明の第６弁室、第７弁室に相当し、弁座３２３、４２３は本発明の第３３弁座、第４３弁座に相当し、弁座３２４、４２４は本発明の第３４弁座、第４４弁座に相当し、空間３２５、４２５は本発明の第３３連通路、第４３連通路に相当し、空間３２６、４２６は本発明の第３４連通路、第４４連通路に相当し、可動接点３１１ａ、４１１ａは本発明の第３可動接点、第４可動接点に相当し、固定接点３１１ｂ、４１１ｂは本発明の第３固定接点、第４固定接点に相当する。
【００３８】
上記のように、第２実施形態では、第１実施形態におけるスイッチボックス１１０、３１０、４１０をスイッチボックス１２０、３２０、４２０に置換した結果、図８のように空気配管も一部変更されている。まず、アッパブラダ１８とロアブラダ１９との接続位置が入れ換えられている。即ち、アッパブラダ１８はスイッチボックス３２０の切換弁３２７に連通され、ロアブラダ１９はスイッチボックス４２０の切換弁４２７に連通されている。また、ポンプ１７の吐出口の空気がアッパブラダ１８及びロアブラダ１９に供給される経路は２系統に分けられており、スイッチボックス１２０を経由し、逆止弁３０、３１を介してアッパブラダ１８及びロアブラダ１９に供給される経路と、スイッチボックス１２０は経由せず、逆止弁２８、２９を介して、スイッチボックス３２０、４２０を経由してアッパブラダ１８及びロアブラダ１９に供給される経路とを備えている。
【００３９】
第２実施形態において、操作ボックス１０の操作ノブ１５が各方向に操作されると、各モードを実現するようにアッパブラダ１８及びロアブラダ１９の給排気が行われる。以下、各モード毎に説明する。
【００４０】
<ホールドモード>
スイッチボックス１２０のプッシャ１１が押圧されると、スイッチ素子１１１がオンとされ、モータ１６が作動される。そのため、ポンプ１７の吐出口から空気が供給され、その空気は、スイッチボックス１２０の切換弁１２５を経由し、更に逆止弁３０、３１を介してアッパブラダ１８及びロアブラダ１９に供給されて、それらを膨張させる（図８、１３参照）。
【００４１】
<リリースモード>
スイッチボックス２１０のプッシャ１２が押圧されると、ロアブラダ１９及びアッパブラダ１８が排気口２４に連通され、ロアブラダ１９及びアッパブラダ１８は共に収縮される（図８、１１参照）。
【００４２】
<アップモード>
スイッチボックス３２０のプッシャ１３が押圧されると、スイッチ素子３１１がオンとされ、モータ１６が作動される。そのため、ポンプ１７の吐出口から空気が供給され、その空気は、逆止弁２８を介して、また、スイッチボックス３２０の切換弁３２７を経由してアッパブラダ１８に供給されて、アッパブラダ１８を膨張させる。このとき、スイッチボックス４２０の切換弁４２７では、ロアブラダ１９をポンプ１７の吐出口に連通する経路は遮断し、排気口２６に連通している。そのため、ロアブラダ１９は収縮される（図８、１４参照）。
【００４３】
<ダウンモード>
スイッチボックス４２０のプッシャ１４が押圧されると、スイッチ素子４１１がオンとされ、モータ１６が作動される。そのため、ポンプ１７の吐出口から空気が供給され、その空気は、逆止弁２９を介して、また、スイッチボックス４２０の切換弁４２７を経由してロアブラダ１９に供給されて、ロアブラダ１９を膨張させる。このとき、スイッチボックス３２０の切換弁３２７では、アッパブラダ１８をポンプ１７の吐出口に連通する経路は遮断し、排気口２５に連通している。そのため、アッパブラダ１８は収縮される（図８、１４参照）。
【００４４】
図９は、本発明の第３実施形態を示す。第３実施形態は上述の第１実施形態に対し、ランバーサポートを一つのブラダ２０のみによって構成した点を特徴とする。そのため、ランバーサポートとしての動作モードは２つのみであり、ホールドモードとリリースモードのみである。その結果、各モードに対応して２つのスイッチボックス１１０、５１０が設けられ、それらのスイッチボックス１１０、５１０を操作するためにシーソータイプの操作ノブ２１が設けられている。スイッチボックス１１０は第１実施形態におけるスイッチボックス１１０と同一のものであり（図１０参照）、スイッチボックス５１０は図１５に示すものが使用されている。
【００４５】
スイッチボックス５１０（図１５参照）は、第１実施形態におけるスイッチボックス２１０（図１１参照）に類似しており、図１５は、第１実施形態におけるスイッチボックス２１０を示す図１１と対応させて示している。両者を比較すると明らかなように、スイッチボックス２１０では弁座２１３に繋がる空間に互いに独立した２つの流路が連通されているのに対し、スイッチボックス５１０では、弁座５１３には１つの流路に連通される空間のみが形成されている。その１つの流路にはブラダ２０が連通され、スイッチボックス５１０の弁体５１１を収容する弁室５１２は排気口２７に連通されている。
【００４６】
ブラダ２０には、スイッチボックス１１０、５１０を介さず、逆止弁３２を介してポンプ１７の吐出口が連通されている。逆止弁３２は、ポンプ１７からブラダ２０への空気の流れは許容するが、反対方向の空気の流れは阻止するように構成されている。逆止弁３２は、ブラダ２０が膨張された状態を保持するようにブラダ２０からポンプ１７側に空気が漏れないようにしている。
【００４７】
第３実施形態において、操作ボックス１０の操作ノブ２１が各方向に操作されると、各モードを実現するようにブラダ２０の給排気が行われる。以下、各モード毎に詳しく説明する。
【００４８】
<ホールドモード>
スイッチボックス１１０のプッシャ（本発明の第２発明における第１操作体に相当）１１が押圧されると、スイッチ素子１１１がオンとされ、モータ１６が作動される。そのため、ポンプ１７の吐出口から空気が供給され、その空気は、逆止弁３２を介してブラダ２０に供給されて、ブラダ２０を膨張させる（図９、１０参照）。
【００４９】
<リリースモード>
スイッチボックス５１０のプッシャ２２が押圧されると、ブラダ２０が排気口２７に連通され、ブラダ２０は収縮される（図９、１５参照）。
【００５０】
図１６〜１８は、本発明の第４実施形態におけるスイッチボックス１３０、２２０、３３０（４３０）を示す。第４実施形態が第１実施形態に対して特徴とする点は、第１実施形態におけるスイッチボックス１１０、２１０、３１０（４１０）をスイッチボックス１３０、２２０、３３０（４３０）に置換した点である。その他の構成は、両者同一であり、同一部分についての再度の説明は省略する。各スイッチボックス２２０、３３０、４３０の各切換弁２２８、３３９、４３９は、本発明の第１、第２発明における第２〜第４弁装置に相当する。
【００５１】
第１実施形態におけるスイッチボックス３１０（４１０）は、図１２に基づいて説明したように、スイッチ素子３１１（４１１）と切換弁３１８（４１８）とが筐体内で上下に領域を分けて構成されていたのに対し、第４実施形態におけるスイッチボックス３３０（４３０）は、スイッチ素子３１１（４１１）の可動接点３３１ａ（４３１ａ）と切換弁３３９、（４３９）の弁体３３２（４３２）とが一体化されている。スイッチボックス１３０については、切換弁を備えないが、他のスイッチボックス２２０、３３０（４３０）との操作感を一致させるように同様の切換弁の構造を備えている。また、スイッチボックス２２０については、スイッチ素子を備えないが、他のスイッチボックス１３０、３３０（４３０）との操作感を一致させるように同様のスイッチ素子の構造を備えている。ここでは、図１０〜１２の図示の上下方向を、便宜的に上下として説明している。
【００５２】
スイッチボックス３３０（４３０）は、図１８に示すように、プッシャ３５の下端に固定された弁体３３２の下面にスイッチ素子３３１の可動接点３３１ａが固定されている。弁体３３２及び可動接点３３１ａを収容して弁室３３３が形成され、この弁室３３３の弁体３３２と対向する面にはプッシャ３５を囲む環状の弁座３３４が形成されている。弁座３３４とプッシャ３５との間には隙間３３７が形成され、弁体３３２が弁座３３４から離れた状態のとき、弁室３３３を排気口２５に連通している（図７参照）。そして、弁体３３２の弁座３３４と対向する部分には、弁座３３４と同様に環状のシール材３３２ｂが固定され、弁体３３２が弁座３３４に当接する際の気密性を確保している。可動接点３３１ａの下面にもシール材３３２ａが固定され、このシール材３３２ａの下側に対向するようにシール材３３２ａに向けて管状に突出して弁座３３５が形成されている。管状の弁座３３５によって形成される流路３３８はポンプ１７の吐出口に連通されている（図７参照）。シール材３３２ａは、弁座３３５に当接することによって流路３３８と弁室３３３との間の気密状態を保持する。
【００５３】
弁座３３５の両側には弁室３３３に沿ってスイッチ素子３３１の固定接点３３１ｂ、３３１ｃが設けられている。可動接点３３１ａは、弁座３３５を跨ぐ両端が固定接点３３１ｂ、３３１ｃに対向して配置されている。管状の弁座３３５の周りにはばね３３６が設けられ、ばね３３６は弁体３３２及び可動接点３３１ａを上方に付勢している。そのため、弁体３３２のシール材３３２ｂは弁座３３４に常時当接しており、可動接点３３１ａの下面のシール材３３２ａは弁座３３５から常時離間している。また、可動接点３３１ａの両端は固定接点３３１ｂ、３３１ｃから常時離間している。一方、プッシャ３５が押圧操作されると、弁体３３２のシール材３３２ｂは弁座３３４から離間し、可動接点３３１ａの下面のシール材３３２ａは弁座３３５に当接する。また、可動接点３３１ａの両端は固定接点３３１ｂ、３３１ｃに当接して電気的に接触する。以上の構成は、スイッチボックス４３０でも共通であり、スイッチボックス４３０における各構成要素の符号に、図１８ではカッコを付して示している。スイッチボックス３３０、４３０において、弁体３３２、４３２は本発明の第３弁体、第４弁体に相当し、弁室３３３、４３３は本発明の第３弁室、第４弁室に相当し、弁座３３４、４３４は本発明の第３１弁座、第４１弁座に相当し、弁座３３５、４３５は本発明の第３２弁座、第４２弁座に相当し、隙間３３７、４３７は本発明の第３１連通路、第４１連通路に相当し、流路３３８、４３８は本発明の第３２連通路、第４２連通路に相当し、可動接点３３１ａ、４３１ａは本発明の第３可動接点、第４可動接点に相当し、固定接点３３１ｂ、３３１ｃ、４３１ｂ、４３１ｃは本発明の第３固定接点、第４固定接点に相当する。
【００５４】
図２２、２３には、スイッチボックス３３０の可動接点３３１ａのみを取り出して示している。可動接点３３１ａはばね材から成り、可動接点３３１ａの両端３３１ｄは、固定接点３３１ｂ、３３１ｃに当接した状態で摺動可能なように、固定接点３３１ｂ、３３１ｃとの当接部が、固定接点３３１ｂ、３３１ｃに向けて突形状に湾曲形成されている。また、可動接点３３１ａは、弁座３３５に対するシール材３３２ａの当接圧と、固定接点３３１ｂ、３３１ｃに対する可動接点３３１ａの両端３３１ｄの接触圧とを、共に確保するため、可動接点３３１ａの両端３３１ｄが固定接点３３１ｂ、３３１ｃに当接してから可動接点３３１ａがその両端３３１ｄ間を開くように変形しながら、シール材３３２ａが弁座３３５に当接するように構成されている。なお、スイッチボックス１１０、２１０、４１０の可動接点の構造についても、スイッチボックス３３０の可動接点３３１ａと同構造とされている。
【００５５】
図２４、２５は、図２２、２３における可動接点３３１ａの変形例を示す。図２４と図２２とを対比すると明らかなように、図２４の変形例では、可動接点３３１ａの両端３３１ｅをフォーク形状に分離させた形状としている。この形状によれば、可動接点３３１ａの両端３３１ｅがそれぞれ３箇所で固定接点３３１ｂ、３３１ｃ（図１８参照）に接触するため、接触の信頼性を高めることができる。
【００５６】
スイッチ素子３３１の更なる変形例としてメンブレンスイッチ（図示省略）を使用することもできる。
【００５７】
図１６のスイッチボックス１３０は、大略スイッチボックス３３０と同一構成とされているが、スイッチボックス１３０は、スイッチ素子１３１のみが有効に機能し、切換弁の機能は不要であるため、プッシャ３３の押圧操作の有無によってスイッチ素子１３１の可動接点１３１ａが固定接点１３１ｂ、１３１ｃに対して当接、離間してスイッチのオン・オフを行うように構成されている。スイッチボックス１３０において、可動接点１３１ａは本発明の第１可動接点に相当し、固定接点１３１ｂ、１３１ｃは本発明の第１固定接点に相当する。
【００５８】
図１７のスイッチボックス２２０は、大略スイッチボックス３３０と同一構成とされているが、スイッチボックス２２０は、スイッチ素子の機能は不要であるため、切換弁２２８のみが有効に機能するようにされている。弁体２２２の上側には、スイッチボックス３３０のシール材３３２ｂと同様の環状のシール材２２２ｂが設けられ、このシール材２２２ｂに隣接してもう一つのシール材２２２ｃが設けられている。シール材２２２ｂに対向する弁座２２４に繋がる空間２２７はアッパブラダ１８に連通され、シール材２２２ｃに対向する弁座２２５に繋がる空間２２６はロアブラダ１９に連通されている（図７参照）。弁座２２４に繋がる空間２２７と弁座２２５に繋がる空間２２６は互いに独立して構成されている。そして、弁体２２２を収容する弁室２２３は排気口２４に連通されている（図７参照）。スイッチボックス２２０において、弁体２２２は本発明の第２弁体に相当し、弁室２２３は本発明の第２弁室に相当し、弁座２２４、２２５は本発明の第２弁座に相当し、空間２２６、２２７は本発明の第２連通路に相当する。
【００５９】
第４実施形態におけるスイッチボックス１３０、２２０、３３０（４３０）は、第１実施形態におけるスイッチボックス１１０、２１０、３１０（４１０）と全く同様に機能し、操作ノブ１５の操作に応じてアッパブラダ１８及びロアブラダ１９の給排気を行う。
【００６０】
図１９、２０は、本発明の第５実施形態におけるスイッチボックス１４０、３４０（４４０）を示す。第５実施形態が第４実施形態に対して特徴とする点は、第４実施形態のスイッチボックス１３０（図１６参照）には切換弁の機能がなかったのに対し、スイッチボックス１４０には切換弁１４６の機能を備えるようにした点、並びに、第４実施形態のスイッチボックス３３０（４３０）（図１８参照）の切換弁３３９（４３９）における切換モードを、スイッチボックス３４０（４４０）の切換弁３４７（４４７）では反対に変更した点である。そして、第５実施形態におけるスイッチボックス１４０、３４０（４４０）は、第２実施形態のシステム構成（図８参照）に組み込まれる。なお、第５実施形態の場合、図８のシステム構成において、スイッチボックス２１０は、図１７のスイッチボックス２２０が用いられる。各スイッチボックス１４０、３４０、４４０の各切換弁１４６、３４７、４４７は、本発明の第２発明における第１弁装置、第５弁装置、第６弁装置に相当する。
【００６１】
スイッチボックス１４０は、図１９に示すように、弁室１４３の弁体１４２と対向する面にはプッシャ３３を囲む環状の弁座１４４が形成されている。弁座１４４とプッシャ３３との間には隙間が形成され、この隙間を介して弁座１４４に繋がる空間と連通する流路１４５にはポンプ１７の吐出口が連通されている。そして、弁体１４２の弁座１４４と対向する部分には、環状のシール材１４２ｂが固定され、弁体１４２が弁座１４４に当接する際の気密性を確保している。また、弁室１４３は逆止弁３０、３１を介してアッパブラダ１８及びロアブラダ１９に連通されている（図８参照）。スイッチボックス１４０において、スイッチ素子１４１の構成は、スイッチボックス１３０（図１６参照）のスイッチ素子１３１の構成と全く同一である。スイッチボックス１４０において、弁体１４２は本発明の第５弁体に相当し、弁室１４３は本発明の第５弁室に相当し、弁座１４４は本発明の第５弁座に相当し、流路１４５は本発明の第５連通路に相当し、可動接点１４１ａは本発明の第１可動接点に相当し、固定接点１４１ｂ、１４１ｃは本発明の第１固定接点に相当する。
【００６２】
スイッチボックス３４０（４４０）は、図２０に示すように、弁体３４２に対向する弁室３４５の内壁面に弁座３４４が形成されている。弁座３４４とプッシャ３５との間には隙間が形成され、この隙間を介して弁座３４４に繋がる空間と連通する流路３４５は、ポンプ１７の吐出口に連通されている。スイッチ素子３４１の下面のシール材３４２ａによって当接される弁座３４３に繋がる空間の流路３４６は、排気口２５に連通されている（図８参照）。スイッチボックス３４０（４４０）の構成は、ここで説明した以外、スイッチボックス３３０（４３０）（図１８参照）と同一であるため、同一内容についての説明は省略する。また、スイッチボックス３４０に関する構成は、スイッチボックス４３０でも共通であり、スイッチボックス４３０における各構成要素の符号に、図２０ではカッコを付して示している。スイッチボックス３４０、４４０において、弁体３４２、４４２は本発明の第６弁体、第７弁体に相当し、弁室３４５、４４５は本発明の第６弁室、第７弁室に相当し、弁座３４４、４４４は本発明の第３３弁座、第４３弁座に相当し、弁座３４３、４４３は本発明の第３４弁座、第４４弁座に相当し、空間３４５、４４５は本発明の第３３連通路、第４３連通路に相当し、空間３４６、４４６は本発明の第３４連通路、第４４連通路に相当し、可動接点３４１ａ、４４１ａは本発明の第３可動接点、第４可動接点に相当し、固定接点３４１ｂ、３４１ｃ、４４１ｂ、４４１ｃは本発明の第３固定接点、第４固定接点に相当する。
【００６３】
第５実施形態におけるスイッチボックス１４０、２２０、３４０（４４０）は、第２実施形態におけるスイッチボックス１２０、２１０、３２０（４２０）と全く同様に機能し、操作ノブ１５の操作に応じてアッパブラダ１８及びロアブラダ１９の給排気を行う。
【００６４】
図２１は、本発明の第６実施形態におけるスイッチボックス５２０を示す。第６実施形態が第３実施形態に対して特徴とする点は、第３実施形態におけるスイッチボックス１１０、５１０を、スイッチボックス１３０（図１６参照）、５２０に置換した点である。その他の構成は、両者同一であり、同一部分についての再度の説明は省略する。スイッチボックス１３０の構成は上述したとおりである。
【００６５】
スイッチボックス５２０は、図２１に示すように、図１７におけるスイッチボックス２２０の弁座２２５を削除したもので、弁室５２４の弁体５２２と対向する面にはプッシャ３６を囲む環状の弁座５２３が形成されている。弁座５２３とプッシャ３６との間には隙間が形成され、この隙間を介して弁座５２３に繋がる空間には排出口２７が連通されている（図９参照）。そして、弁体５２２の弁座５２３と対向する部分には、環状のシール材５２２ｂが固定され、弁体５２２が弁座５２３に当接する際の気密性を確保している。
【００６６】
第６実施形態は、第３実施形態と全く同様に機能し、操作ノブ２１の操作に応じてスイッチボックス１３０、５２０が機能してブラダ２０の給排気を行う。
【００６７】
第１、第４実施形態は、本発明の第１発明に相当し、第２、第５実施形態は、本発明の第２発明に相当する。
【００６８】
以上、特定の実施形態について説明したが、本発明は、それらの外観、構成に限定されず、本発明の要旨を変更しない範囲で種々の変更、追加、削除が可能である。例えば、上記実施形態では、本発明を自動車のシートに適用したが、飛行機、船、電車等に搭載のシートに適用してもよい。また、上記実施形態では、本発明をランバーサポートに適用したが、マッサージ装置、サイドサポート等に適用してもよい。
【符号の説明】
【００６９】
１        自動車用シート（シート）
２        シートバック
３        シートクッション
１０      操作ボックス
１０ａ、１０ｂ、１０ｃ  空気コネクタ
１０ｄ    電気コネクタ
１１、１２、１３、１４  プッシャ（第１〜第４操作体）
１５      操作ノブ
１５ａ、１５ｂ、１５ｃ、１５ｄ  操作部
１６      モータ
１７      ポンプ
１８      アッパブラダ（一方の空気袋）
１９      ロアブラダ（他方の空気袋）
２０      ブラダ（空気袋）
２１      操作ノブ
２２      プッシャ（第２操作体）
２４、２５、２６、２７  排気口
２８、２９、３０、３１、３２  逆止弁
３３、３４、３５、３６  プッシャ（操作体）
１１０、１３０、５１０、５２０  スイッチボックス（スイッチ）
１１１、１３１、１４１、３１１、３３１、３４１、４１１、４３１、４４１  スイッチ素子（スイッチ）
１１１ａ  可動接点（第１可動接点）
１１１ｂ  固定接点（第１固定接点）
１１１ｃ、１３１ｃ、３１１ｃ、３３１ｃ、４１１ｃ、４３１ｃ  固定接点
１２０  スイッチボックス（スイッチ）
１２１  第５弁体
１２２  第５弁室
１２３  第５弁座
１２４  空間（第５連通路）
１２５  切換弁（第１弁装置）
１３１ａ  可動接点（第１可動接点）
１３１ｂ  可動接点（第１固定接点）
１３１ｄ、１３１ｅ  接点部
１４０  スイッチボックス（スイッチ）
１４１ｂ  固定接点（第１固定接点）
１４１ｃ  固定接点（第１固定接点）
１４２、４４２、５１１、５２２  弁体
１４２ｂ、２２２ａ、２２２ｂ、２２２ｃ、３３２ａ、３３２ｂ、３４２ａ、４３２ａ、４３２ｂ、４４２ａ、４４２ｂ、５５２ｂ  シール材
１４３、３４５、４４５、５１２、５２４  弁室
１４４、５１３、５２３  弁座
１４５  流路（第５連通路）
１４６  切換弁（第１弁装置）
２１０  スイッチボックス（切換弁、第２弁装置）
２１１  弁体（第２弁体）
２１２  弁室（第２弁室）
２１３  弁座（第２弁座）
２１４  空間（第２連通路）
２２０  スイッチボックス（スイッチ）
２２２  弁体（第２弁体）
２２３  弁室（第２弁室）
２２４、２２５  弁座（第２弁座）
２２６、２２７  空間（第２連通路）
２２８  切換弁（第２弁装置）
３１０  スイッチボックス（スイッチ）
３１１ａ  可動接点（第３可動接点）
３１１ｂ  固定接点（第３固定接点）
３１２  弁体（第３弁体）
３１３  弁室（第３弁室）
３１４  弁座（第３１弁座）
３１５  弁座（第３２弁座）
３１６  空間（第３１連通路）
３１７  空間（第３２連通路）
３１８  切換弁（第３弁装置）
３２０  スイッチボックス（スイッチ）
３２１  弁体（第６弁体）
３２２  弁室（第６弁室）
３２３  弁座（第３３弁座）
３２４  弁座（第３４弁座）
３２５  空間（第３３連通路）
３２６  空間（第３４連通路）
３２７  切換弁（第５弁装置）
３３０  スイッチボックス（スイッチ）
３３１ａ  可動接点（第３可動接点）
３３１ｂ  固定接点（第３固定接点）
３３２  弁体（第３弁体）
３３３  弁室（第３弁室）
３３４  弁座（第３１弁座）
３３５  弁座（第３２弁座）
３３７  隙間（第３２連通路）
３３８  流路（第３１連通路）
３３９  切換弁（第３弁装置）
３４０  スイッチボックス（スイッチ）
３４１ｂ  固定接点（第３固定接点）
３４１ｃ  固定接点（第３固定接点）
３４２  弁体（第６弁体）
３４３  弁座（第３４弁座）
３４４  弁座（第３３弁座）
３４５  流路（第３３連通路）
３４６  流路（第３４連通路）
３４７  切換弁（第５弁装置）
４１０  スイッチボックス（スイッチ）
４１１ａ  第３可動接点
４１１ｂ  第３固定接点
４１２  弁体（第４弁体）
４１３  弁室（第４弁室）
４１４  弁座（第４１弁座）
４１５  弁座（第４２弁座）
４１６  空間（第４１連通路）
４１７  空間（第４２連通路）
４１８  切換弁（第４弁装置）
４２０  スイッチボックス（スイッチ）
４２１  弁体（第７弁体）
４２２  弁室（第７弁室）
４２３  弁座（第４３弁座）
４２４  弁座（第４４弁座）
４２５  空間（第４３連通路）
４２６  空間（第４４連通路）
４２７  切換弁（第６弁装置）
４３０  スイッチボックス（スイッチ）
４３１ａ  可動接点（第４可動接点）
４３１ｂ  固定接点（第４固定接点）
４３２  弁体（第４弁体）
４３３  弁室（第４弁室）
４３４  弁座（第４１弁座）
４３５  弁座（第４２弁座）
４３７  隙間（第４２連通路）
４３８  流路（第４１連通路）
４３９  切換弁（第４弁装置）
４４０  スイッチボックス（スイッチ）
４４１ｂ  固定接点（第４固定接点）
４４１ｃ  固定接点（第４固定接点）
４４２  弁体（第７弁体）
４４３  弁座（第４４弁座）
４４４  弁座（第４３弁座）
４４５  流路（第４３連通路）
４４６  流路（第４４連通路）
４４７  切換弁（第６弁装置）
【図１】
0006346085.tif 000002
【図２】
0006346085.tif 000003
【図３】
0006346085.tif 000004
【図４】
0006346085.tif 000005
【図５】
0006346085.tif 000006
【図６】
0006346085.tif 000007
【図７】
0006346085.tif 000008
【図８】
0006346085.tif 000009
【図９】
0006346085.tif 000010
【図１０】
0006346085.tif 000011
【図１１】
0006346085.tif 000012
【図１２】
0006346085.tif 000013
【図１３】
0006346085.tif 000014
【図１４】
0006346085.tif 000015
【図１５】
0006346085.tif 000016
【図１６】
0006346085.tif 000017
【図１７】
0006346085.tif 000018
【図１８】
0006346085.tif 000019
【図１９】
0006346085.tif 000020
【図２０】
0006346085.tif 000021
【図２１】
0006346085.tif 000022
【図２２】
0006346085.tif 000023
【図２３】
0006346085.tif 000024
【図２４】
0006346085.tif 000025
【図２５】
0006346085.tif 000026